(57)【要約】【課題】  ＩＪＰへの入力指示をおよび出力指示におけるキー操作はあらかじめ位置が定められており使用するユーザーに合わせてキー配列を変更する機能はない。そこで固定化されていたキー配列に自由度を持たせ、使用頻度の高いキーを最も操作し易い位置に配置し、操作性を大幅に向上させる。また、キー名称を変更を可能とすることで複数のユーザー間で共通の認識を得る。【解決手段】  操作キーコードデータ群、画面ごとのキー配置データ群、これらキーコードおよびキー配置データ群を記憶する記憶エリア、キーコードおよびキー配置データ群を記憶エリアより読込み解析するソフトウェア、解析したキーコードおよびキー配置データ群を表示するソフトウェアを用いる。【選択図】  図１
2005199431.tif 000002
【特許請求の範囲】
【請求項１】
加圧インクをノズルより噴出し、該ノズルを一定周期で振動させることにより、インクを一定周期で粒子化せしめ、この粒子化の周期に同期した階段波状の帯電信号を帯電電極に与えることにより、前記インク粒子に電荷を付与し該荷電粒子を偏向電界中に飛行させ垂直偏向し、被印字物をインク粒子の垂直偏向とほぼ直角に相対移動させることにより文字を形成するインクジェット記録装置であり、インクジェット記録装置が印字する内容などを表示および編集する操作画面を有し、操作キー配列を画面上に表示し選択することでインクジェット記録装置に動作指示する場合や印字する内容等を編集する場合やインクジェット記録装置の装置情報を操作画面上に表示する場合等において、インクジェット記録装置への入力およびインクジェット記録装置からの出力を行なうに必要な画面操作をより効率的に実行できるよう操作キー配列を変更することが可能で、装置を使用するユーザーが最も使用頻度が高い操作キーを最も操作しやすい位置に配置したインクジェット記録装置。
【請求項２】
請求項１において、画面操作における操作キー配置を変更するにあたり、操作キー配列データをインクジェット記録装置内の記憶媒体に保有し、ユーザー自身が操作キー配列データを編集することでキー配列を変更することが可能なインクジェット記録装置。
【請求項３】
請求項１において、画面操作における操作キー名称を任意に変更することが可能であり、複数のユーザー共通に認識できる表現に名称変更することで操作性の向上を計るインクジェット記録装置。
【請求項４】
請求項１において、画面操作における操作キー配置が２つの画面に渡り表示されるような場合において、その２画面内に配置されているキー配列を自由に組み替えることが可能なインクジェット記録装置。
【請求項５】
請求項１、２において、複数のユーザーにてインクジェット記録装置を使用する場合に使用するユーザーごとにキー配列の組み替えが可能なインクジェット記録装置。
【発明の詳細な説明】
【技術分野】
【０００１】
本発明は、インクジェット記録装置の操作キーおよびキー配列に関するものである。
【背景技術】
【０００２】
インクジェット記録装置（以下、ＩＪＰという）において、ＩＪＰへの入力指示を行なうに必要なキー操作は、操作パネルと呼ばれるあらかじめ配列されたキーを押し入力していた。また、ＩＪＰの装置情報などを表示させる出力指示においても操作パネルキーにて選択し表示させていた。このキー操作において、キー配列はあらかじめ定められており使用するユーザーに合わせてキー配列を変更する機能はなく、ＩＪＰに搭載されているソフトウェアを直接変更する必要があり容易ではなかった。名称変更も同様にＩＪＰにＩＪＰに搭載されているソフトウェアを直接変更する必要があり容易ではなかった。
【０００３】
【特許文献１】特開２００２−１８７３２３号公報
【発明の開示】
【発明が解決しようとする課題】
【０００４】
本発明にて解決する課題は、これまで固定化されていたキー配列に自由度を持たせることにある。操作キーのキー単位での使用頻度はユーザーごとにまったく異なるため、現在配置されているキー配列が最適であるとは限らない。キー配列を固定方式から任意配列式にすることで、使用頻度の高いキーを最も操作し易い位置に配置し、従来のＩＪＰで複数回要したキー操作回数を１回のキー操作で完了することが可能となり、操作性が大幅に向上させることが可能である。また、キー名称を変更を可能とすることで複数のユーザー間で共通の認識を得ることができる。
【課題を解決するための手段】
【０００５】
本発明を解決するには、操作キーコードデータ群、画面ごとのキー配置データ群、これらキーコードおよびキー配置データ群を記憶する記憶エリア、キーコードおよびキー配置データ群を記憶エリアより読込み解析するソフトウェア、解析したキーコードおよびキー配置データ群を表示するソフトウェアを用いることで解決できる。
【発明の効果】
【０００６】
本発明によれば固定化されていたキー配列が任意の位置に配置することができ、使用頻度のキー操作の向上が図れる。
【０００７】
また、キー名称を変更を可能とすることで複数のユーザー間で共通の認識を得ることができる。
【発明を実施するための最良の形態】
【０００８】
以下、本発明の実施例を図１〜８を用いて説明する。
【０００９】
まずＩＪＰの動作原理について述べる。図８において、１はノズル、２は作成されたインクを帯電させる帯電電極、３は帯電したインク粒子を偏向する偏向電極、４は印字に使用しないインク粒子を回収するガター、５はインク、洗浄液の供給および回収を行なうためのポンプである。まず、ＩＪＰの印字動作概要について述べる。ノズル１より噴出されたインクは、帯電電極２内にて粒子化され階段波状の文字信号に比例した電荷を受け、偏向電極３により偏向され被印字物へインクが飛行、付着して印字される。印字に使用されなかった無帯電インク粒子はガター４より回収されポンプ５により再びノズルへインクを供給する。
【００１０】
次に、全体構成について述べる。
【００１１】
図１において、１はＩＪＰを制御するＭＰＵ（マイクロプロセッシングユニット）、２はＩＪＰのプログラムが格納されているＲＯＭ（リードオンリーメモリー）、３はＩＪＰで一時的にデータを記憶しておくＲＡＭ（ランダムアクセスメモリー）、４はパネルインターフェース回路、５はパネル、６は被印字物検知回路、７はセンサ、８は印字内容を文字信号にする文字信号発生回路、９はポンプを制御するポンプ制御回路、１０はフラシュメモリインターフェース回路、１１はフラッシュメモリ、１２はデータ等を送るバスラインである。
【００１２】
次に、本発明の概要を説明する。
【００１３】
図２において、ＩＪＰにて使用するキーを一覧表を示す。この一覧表にはキーコードと対応するキー動作が記載されている。このキー一覧は予め規定されており変更は不可とする。次にキー配置データを示す。このデータには画面番号、画面タイトル、キー総数およびキー配置データが存在しており一つのまとまったデータ群として図１のフラッシュメモリ１１に格納されている。このキー配置データにて沿って画面を構築すると表示画面のような画面が構成される。次にキー配置データを変更した場合について述べる。図１のフラッシュメモリ１１内に格納されているキー配列データを変更することで可能となる。図３は画面番号１のキー配置データを図２の状態から変更したものである。タイトルを“印字レイアト”から“印字イメージと操作メニュー”に変更、キー総数９→５に変更、運転、停止、オンライン、稼動管理、メニューの５つのキーを図３の表示画面のように変更した。この時のキー配置データを図３に示す。すなわち、キー配置データを変更すれば、キー配置およびキー名称を容易に変更できるという事である。次に２画面で構成される機能のキー配列を入れ替える例を図４に示す。図４において保守機能は２画面で構成されておりそのキー配置は図４の上段のようになっているものとする。ここで例えばラインモニタ機能とシステム情報を頻繁に使用する場合は、第２画面から第１画面に移動させ図４の下段のように変更すればよりスムーズなキー操作体系となる。
【００１４】
次にキー配置データの詳細についで述べる。
【００１５】
図５はキー配置データを示す。まず画面番号の文字列データがありその後に続けて存在している数値が画面番号となっている。次にタイトルの文字列がありその文字列から“”で括られた文字列を画面タイトルデータとする。ここでは印字レイアウトという文字列が画面タイトルデータとなる。次ぎにキー総数の文字列がありその後に続けて存在している数値が画面内に配置されるキーの総数となっている。キー総数以降は実際に配置されるキー位置情報およびキー名称のデータ群である。キー位置情報およびキー名称の詳細設定は、まずキーコードを指定する。キーコードはキーコード一覧より選択するものとする。次に開始X,Y座標および終了X,Y座標を指定する。この座標情報に基づいてキーが表示される。次ぎにキー名称を指定する“”で括られた文字列をキー名称とする。次ぎに枠表示の有無情報を指定する。これはキーを四角の枠で囲むか否かを指定し、１が枠あり、０が枠なしを意味する。
【００１６】
次にキー配置データを実際に表示する処理を図１、図７を用いて説明する。
【００１７】
図７は表示処理の流れ図である。図１においてフラッシュメモリ１１にキー配列データがファイルとして格納されている。ＩＪＰの電源を投入するとMPU１は画面番号１の内容表示処理を開始する。まずフラッシュメモリ１１に格納されているキー配列データファイルを開く。次ぎにMPU１はキー配列データに記憶されている画面番号データを取得しバスライン１２を介しＲＡＭ３に記憶する。次ぎにMPU１はキー配列データに記憶されている画面タイトル文字列を取得しバスライン１２を介しＲＡＭ３に記憶する。次にMPU１はキー配列データに記憶されているキー総数を取得しバスライン１２を介しＲＡＭ３に記憶する。次にMPU１はキーコード、開始XY座標、終了XY座標、キー名称、枠表示情報を取得してバスライン１２を介しＲＡＭ３に記憶する。これら記憶された情報を元にMPU１は図６のようなキーマップを作成しＲＡＭ３に記憶する。このキーマップを参照して画面表示を行なう。キーマップは表示すべきすべての画面について作成され記憶される。図６は画面番号１のキーマップである。キーマップによると画面タイトルは文字列データで印字レイアウトとされている。この文字列情報をMPU１はＲＡＭ３よりバスライン１２、パネルインターフェース回路４を介してパネル５に表示する。またＲＡＭ３に記憶されているキーマップよりキー総数情報、キーコード、開始XY座標、終了XY座標、キー名称、枠表示情報をバスライン１２を取得して開始XY座標と終了XY座標の範囲でしるされる位置にキー名称、枠をバスライン１２、パネルインターフェース回路４を介してパネル５に表示する。
【図面の簡単な説明】
【００１８】
【図１】本発明の全体構成図を示す。
【図２】本発明の概要を示す。
【図３】本発明の概要を示す。
【図４】本発明の概要を示す。
【図５】キー配置データの詳細を示す。
【図６】キーマップを示す。
【図７】本発明のフローチャートを示す。
【図８】ＩＪＰの原理を示す。
【符号の説明】
【００１９】
（図１）１…ＭＰＵ、２…ＲＯＭ、３…バックアップＲＡＭ、４…パネルインターフェース回路、５…パネル、６…被印字物検知回路、７…センサ、８…文字信号発生回路、９…ポンプ制御回路、１０…フラッシュメモリインターフェース回路、１１…フラシュメモリ、１２…バスライン。（図８）１…ノズル、２…帯電電極、３…偏向電極、４…ガター、５…ポンプ。
【図１】
2005199431.tif 000003
【図２】
2005199431.tif 000004
【図３】
2005199431.tif 000005
【図４】
2005199431.tif 000006
【図５】
2005199431.tif 000007
【図６】
2005199431.tif 000008
【図７】
2005199431.tif 000009
【図８】
2005199431.tif 000010